(57)【特許請求の範囲】
【請求項１】
用紙を搬送する一対のローラからなり、一方のローラが、他方のローラを保持する部材に対して開閉可能な部材に取り付けられている用紙搬送ローラにおいて、
第１の構造部材に軸受を介して支持される駆動ローラと、前記第１の構造部材に対して開閉する第２の構造部材に、軸受を介して支持される従動ローラとを備え、
前記従動ローラは、その軸受に形成された溝が、前記第２の構造部材に形成された切欠き状のガイド溝に挿入されてガイドされていると共に、前記第２の構造部材が前記第１の構造部材に固定された状態で前記駆動ローラに対して所定の押圧になるように、前記ガイド溝と前記従動ローラの軸受との間に介在されたコイルスプリングにより加圧され、
前記駆動ローラの軸受は、前記第１の構造部材に対して軸回りの回転を規制して取り付けられていると共に、前記駆動ローラの軸受には、前記第２の構造部材が前記第１の構造部材に固定された時、前記従動ローラの軸、又は軸受に係合する係合突起が設けられていることを特徴とする用紙搬送ローラ。
【請求項２】
用紙を搬送する一対のローラからなり、一方のローラが、他方のローラを保持する部材に対して開閉可能な部材に取り付けられている用紙搬送ローラにおいて、
第１の構造部材に軸受を介して支持される駆動ローラと、前記第１の構造部材に対して開閉する第２の構造部材に、軸受を介して支持される従動ローラとを備え、
前記従動ローラは、その軸受に形成された溝が、前記第２の構造部材に形成された切欠き状のガイド溝に挿入されてガイドされていると共に、前記第２の構造部材が前記第１の構造部材に固定された状態で前記駆動ローラに対して所定の押圧になるように、前記従動ローラの軸受の周囲に引っ張りコイルスプリングを掛けその両端を前記第１の構造体に形成した穴に引っ掛けたことにより加圧され、
前記駆動ローラの軸受は、前記第１の構造部材に対して軸回りの回転を規制して取り付けられていると共に、前記駆動ローラの軸受には、前記第２の構造部材が前記第１の構造部材に固定された時、前記従動ローラの軸、又は軸受に係合する係合突起が設けられていることを特徴とする用紙搬送ローラ。
【発明の詳細な説明】
【０００１】
【発明の属する技術分野】
本発明は、画像形成装置における給紙ローラ、搬送ローラ、レジストローラ、定着ローラなどの用紙搬送ローラに関する。
【０００２】
【従来の技術】
上部本体と下部本体に２分割されて開閉軸によって上部本体が開閉可能に構成されているタイプの画像形成装置においては、上部本体を開放した状態で用紙搬送路が露出するようになっているのが一般的である。
即ち、用紙搬送ローラを構成する上側ローラは上部本体に取り付けられており、下側ローラは下部本体に取り付けられているため、上部本体を開放すると、上側ローラが下側ローラから分離し、これにより用紙搬送路が露出するのである。この状態で用紙のジャム処理、その他のメンテナンスが効率よく行われる。メンテナンス終了後、上部本体を閉じると、上側ローラが下側ローラに当接して両者のニップ部に用紙を挟持搬送することができる。
ここで問題となるのは、上部本体を閉じたときの上側ローラと下側ローラの位置ずれである。また、上記のタイプの画像形成装置でなくても、一方が開閉可能な部材に取り付けられているローラ対からなる用紙搬送ローラがあり、この場合も同様の問題がある。
この位置ずれを無くすために、例えば特開平８−１１３３８６号公報に記載された技術がある。これは、一方のローラと他方のローラとの位置がずれている場合、支持部で支持される軸受手段を、付勢手段により遊びの範囲内で移動させることで、ずれを解消させるものである。
【０００３】
【発明が解決しようとする課題】
上記従来技術では、用紙搬送ローラ対の軸受上と、それを支持する切り欠き孔との間に遊びがあり、ローラの回転によって自ら正しい接線関係を形成するとしているが、例えば、厚手の紙が斜行して送られてきた場合を考えると、用紙の腰により遊び分だけローラが傾いてしまい、斜行の補正が十分にできない不具合が生じる。従って、一対のローラ間の位置ずれを解消する機構としては、適切なものとは言い難い。
【０００４】
本発明の課題は、このような不都合を無くし、一方が開閉可能な部材に取り付けられている一対のローラからなる用紙搬送ローラの軸受構造において、開閉可能な部材を閉じたときのローラの位置精度を確保することができる用紙搬送ローラを提供することである。
【０００５】
【課題を解決するための手段】
上記課題は、用紙を搬送する一対のローラからなり、一方のローラが、他方のローラを保持する部材に対して開閉可能な部材に取り付けられている用紙搬送ローラにおいて、第１の構造部材に軸受を介して支持される駆動ローラと、前記第１の構造部材に対して開閉する第２の構造部材に、軸受を介して支持される従動ローラとを備え、前記従動ローラは、その軸受に形成された溝が、前記第２の構造部材に形成された切欠き状のガイド溝に挿入されてガイドされていると共に、前記第２の構造部材が前記第１の構造部材に固定された状態で前記駆動ローラに対して所定の押圧になるように、前記ガイド溝と前記従動ローラの軸受との間に介在されたコイルスプリングにより加圧され、前記駆動ローラの軸受は、前記第１の構造部材に対して軸回りの回転を規制して取り付けられていると共に、前記駆動ローラの軸受には、前記第２の構造部材が前記第１の構造部材に固定された時、前記従動ローラの軸、又は軸受に係合する係合突起が設けられている第１の手段により解決される。
上記課題は、用紙を搬送する一対のローラからなり、一方のローラが、他方のローラを保持する部材に対して開閉可能な部材に取り付けられている用紙搬送ローラにおいて、第１の構造部材に軸受を介して支持される駆動ローラと、前記第１の構造部材に対して開閉する第２の構造部材に、軸受を介して支持される従動ローラとを備え、前記従動ローラは、その軸受に形成された溝が、前記第２の構造部材に形成された切欠き状のガイド溝に挿入されてガイドされていると共に、前記第２の構造部材が前記第１の構造部材に固定された状態で前記駆動ローラに対して所定の押圧になるように、前記従動ローラの軸受の周囲に引っ張りコイルスプリングを掛けその両端を前記第１の構造体に形成した穴に引っ掛けたことにより加圧され、前記駆動ローラの軸受は、前記第１の構造部材に対して軸回りの回転を規制して取り付けられていると共に、前記駆動ローラの軸受には、前記第２の構造部材が前記第１の構造部材に固定された時、前記従動ローラの軸、又は軸受に係合する係合突起が設けられている第２の手段により解決される。
【０００６】
【発明の実施の形態】
以下、本発明の実施の形態を添付図面に基づいて説明する。
図１は上側ローラが開閉可能な部材に取り付けられた用紙搬送ローラの構成図である。
樹脂フレーム、板金側板などの本体構造体（第１の構造部材）１の上部に、軸３を中心に開閉可能な第１の構造部材であるガイド板（あるいはカバー）２が設けてあり、本体構造体１には下側ローラ４が軸支され、またガイド板２には下側ローラ４と対向して上側ローラ５が軸支されている。図１にガイド板２の開閉状態を２点鎖線と実線で示してある。
ガイド板２が閉じられた状態では、積載された用紙を１枚ずつ送り出す給紙ローラ、用紙の搬送を目的とする搬送ローラ、用紙先端を突き当て用紙の斜行を強制するレジストローラ、定着ローラなどの用紙搬送ローラを構成する下側ローラ４と上側ローラ５は互いに当接し、そのニップ部に用紙を挟持して下流側に搬送する。
一方、用紙つまりを処理する際や、サービスマンがメンテナンス等を行う際は、ガイド板２を図１において反時計回り方向に回動して、用紙搬送路を開くようになっている。なお、本例では軸３を中心にガイド板２が開放されるようになっているが、リンク等を用いた平行移動によりガイド板２を開閉するようにしてもよい。
また、下側ローラ４あるいは上側ローラ５のいずれかが駆動ローラであり、もう一方が従動ローラであるが、両方のローラに駆動伝達機構、例えばギヤを設けて両側駆動としてもよいが、その場合は駆動ローラとは用紙送りの基準となる方のローラを指す。また、図１の例ではローラ４，５を上下方向に配置したが、左右、斜め方向でも構わない。
【０００７】
図２は本発明の実施の形態に係る共通軸受とこの共通軸受が取り付けられる本体構造体（第１の構造部材）の要部を示す斜視図である。
下側ローラ４と上側ローラ５を共に軸支、保持する共通軸受６には、下側ローラ４の軸を受ける下側ローラ軸受部６ａと、本体構造体１からの抜け止めを防止するためのフランジ部６ｂと、中央にＵ溝６ｄを有する上側ローラ保持用の係合突起部６ｃが一体成形されている。
共通軸受６は、一体で作られるため、材質としては樹脂が適している。また摺動性に優れる材質がよい。ポリアセタール、ポリアミド、ナイロン、及びそれらの含油グレードが望ましい。また焼結でもよい。さらには異種材料の組み合わせでもよい。例えば、ＡＢＳとＰＯＭの２色成形、板金と樹脂のアウトサート成形などである。
上側ローラ保持用の係合突起部６ｃのＵ溝６ｄは、直接上側ローラ５の軸あるいは軸受を受ける部分であり、軸を直接受ける場合は、面圧を減らすために、フランジ部６ｂや上側ローラ保持用の係合突起部６ｃよりも肉厚を厚くする等の配慮が必要である。Ｕ溝６ｄの開口端側は、上側ローラ５の軸や軸受をガイドし易くするために、上広がりのテーパ状部６ｅとなっている。
この共通軸受６は、本体構造体１の溝１ａに下側ローラ軸受部６ａが嵌合されることによって、本体構造体１に取り付けられる。下側ローラ軸受部６ａは、両側面が平面であり、この平面部６ａ１がＵ字状の溝１ａに面接触することで、共通軸受６の回転が規制される。
回転の規制はこれに限らない。例えば、回転止めの突起を共通軸受６に設け、本体構造体１にそれに合う穴を設ける。または本体構造体１が樹脂フレームなら共通軸受６を一体成形してもよい。この場合は前述の摺動性を考慮する必要がある。
共通軸受６がこのようにして本体構造体１に保持されるとき、前述したように、フランジ部６ｂによってスラスト方向の位置を規制している。本例ではフランジ部６ｂを一体に成形しているが、軸にＥリング等を取り付けてスラスト止めが行われている場合はこのフランジ部６ｂを省略してもよい。
【０００８】
図３は従動ローラの軸受とこの軸受に対する加圧機構の第１の例を示す斜視図である。
本実施の形態では、上側ローラ５が従動ローラであり、その軸受７は開閉可能なガイド板２に取り付けられ、図２に示す上側ローラ保持用の係合突起部６ｃのＵ溝６ｄに係止される。
ガイド板２には軸受７を上下左右にガイドする溝２ａがあり、溝２ａは軸受７の対応する幅寸法に対してガタを持つよう広めに設定される。このガタにより、従動ローラ（上側ローラ５）は共通軸受６のＵ溝６ｄにガイドされ、所定の位置に移動し、位置決めされる。
軸受７の形状は様々考えられる。一例として、７ａは従動ローラを加圧するための圧縮スプリング８の受け皿部、７ｂは溝２ａにガイドされスラスト方向の移動を規制するガイド溝、７ｃは上側ローラ５の軸５ａが挿入される孔である。軸受７の材質としては共通軸受６と同様に考えられる。
【０００９】
図４は従動ローラの軸受に対する加圧機構の第２の例を示す斜視図である。
軸受１０の周囲に引っ張りスプリング９を掛け、その両端をガイド板２に設けた穴２ｂ，２ｂに両端を引っ掛けた方式である。１０ｂは溝２ａにガイドされスラスト方向の移動を規制する溝、１０ｃは上側ローラ５の軸５ａが挿入される孔である。なお、ガイド板２の材質は、本体構造体１と同様に樹脂、板金、それらの組み合わせで構成される。
【００１０】
図５は共通軸受が従動軸を受けている軸受構造を示す正面図である。
この例では従動ローラである上側ローラ５の軸５ａを共通軸受６が直接受けている。勿論、駆動ローラである下側ローラ４の軸４ａも共通軸受６が受けている。
【００１１】
図６は共通軸受が従動軸受を受けている軸受構造を示す正面図である。
この例では上側ローラ５の軸受７を共通軸受６が受けている。
何れの場合であっても、共通軸受６により下側ローラ４（駆動ローラ）と上側ローラ５（従動ローラ）が保持されるので、ガイド板２が閉じたときの両者の位置精度が確保される。
なお、前記実施の形態に限定されるものでなく、本発明は、図５での軸受７の位置、共通軸受６の向き、図６での共通軸受６の向き、軸受７の向きはこれに制限されない。また、駆動と従動、さらには開閉、固定側が入れ替わってもよい。
【００１２】
このような前記実施の形態にあっては、用紙を搬送する一対のローラ４，５からなり、一方のローラ４もしくは５が、他方のローラ４もしくは５を保持する部材に対して開閉可能な部材に取り付けられている用紙搬送ローラにおいて、一対のローラ４（もしくは５）のうちのどちらか一方の軸受６（もしくは７）に、他方のローラ５（もしくは４）の軸５ａ（もしくは４ａ）に係合して位置決めする係合突起部６ｃを一体に設けたため、また、一対のローラ４（もしくは５）のうちのどちらか一方の軸受６，７または１０に、他方のローラ５（もしくは４）５の軸受７（１０）に係合して位置決めする係合突起部６ｃを一体に設けたため、側板、構造体などの他の部品を介さずにローラ４，５の軸受を一部品で位置決めできるので、高い位置精度が得られ、また、ローラ（駆動と従動）が平行に位置するので、用紙の斜行、シワの発生が防げ、また、構成が簡略化できるので、コスト低減を図れる。
また、前記実施の形態にあっては、用紙を搬送する一対のローラ４もしくは５からなり、一方のローラ４もしくは５が、他方のローラ４もしくは５を保持する部材に対して開閉可能な部材に取り付けられている用紙搬送ローラにおいて、第１の構造部材１に軸受６を介して支持される駆動ローラ４（もしくは５）と、第１の構造部材１に対して開閉する第２の構造部材２に、軸受７（１０）を介して支持される従動ローラ５（もしくは４）とを備え、従動ローラ（もしくは４）は第２の構造部材２が第１の構造部材１に固定された状態で所定の押圧になるように、加圧手段（８，９）により加圧され、駆動ローラ４の軸受６は、第１の構造部材１に対して平面部６ａ１をＵ字状の溝１ａに面接触することで軸回りの回転を規制して取り付けられ、駆動ローラ４の軸受６には、第２の構造部材２が第１の構造部材１に固定された時従動ローラ５の軸５ａ、又は軸受７，１０に係合する係合係合突起部６ｃが設けられているため、側板、構造体などの他の部品を介さずにローラ４，５の軸受を一部品で位置決めできるので、高い位置精度が得られ、ローラ（駆動と従動）が平行に位置するので、用紙の斜行、シワの発生が防げ、また、構成が簡略化できるので、コスト低減を図れる。
【００１３】
【発明の効果】
請求項１、２記載の発明によれば、側板、構造体などの他の部品を介さずにローラの軸受を一部品で位置決めできるので、高い位置精度が得られ、また、ローラ（駆動と従動）が平行に位置するので、用紙の斜行、シワの発生が防げ、また、構成が簡略化できるので、コスト低減を図れる。
【図面の簡単な説明】
【図１】上側ローラが開閉可能な部材に取り付けられた用紙搬送ローラの構成図である。
【図２】本発明の実施の形態に係る共通軸受とこの共通軸受が取り付けられる本体構造体の要部を示す斜視図である。
【図３】従動ローラの軸受とこの軸受に対する加圧機構の第１の例を示す斜視図である。
【図４】従動ローラの軸受とこの軸受に対する加圧機構の第２の例を示す斜視図である。
【図５】共通軸受が従動軸を受けている軸受構造を示す正面図である。
【図６】共通軸受が従動軸受を受けている軸受構造を示す正面図である。
【符号の説明】
１  本体構造体（第１の構造部材）
２  ガイド板
４  下側ローラ
５  上側ローラ
６  共通軸受
６ａ  下側ローラ軸受部
６ｂ  フランジ部
６ｃ  上側ローラ保持用の係合突起部
６ｄ  Ｕ溝
７，１０  従動ローラ用軸受
８  圧縮スプリング
９  引っ張りスプリング
【図１】
0003673371.tif 000002
【図２】
0003673371.tif 000003
【図３】
0003673371.tif 000004
【図４】
0003673371.tif 000005
【図５】
0003673371.tif 000006
【図６】
0003673371.tif 000007